(57)【要約】 【課題】  バスバーをしっかりと支持した上で、隣接するバスバー同士の短絡防止を行うことが可能な電気接続箱を提供することを目的とする。【解決手段】  電気接続箱２０はケーシング２１、ヒューズボックス７０、アッパーコネクタ９０を主体として構成され、ヒューズボックス７０の下面７６からはバスバー４１、１００が引き出されている。各バスバー４１、１００は同下面７６に沿う配索経路をとって、ケーシング２１或いはアッパーコネクタ９０に引き込まれている。ヒューズボックス７０内に侵入した水滴はバスバー４１、１００を伝って下方へしみ出してゆくが、アッパーコネクタ９０並びにカバー６１には排水用斜面部６７、９４が形成されているから、しみ出した水滴は装置外に排水される。一方、ヒューズＨの取り替え作業時には、基板用バスバー４１の曲げ部４１Ａには下方への押し込み力が作用するが、カバー側排水用斜面部６７には支持板６８が形成されており、曲げ部４１Ａを前記押し込み力に抗じてしっかりと支えるようになっている。【選択図】  図４
2006050786.tif 000002
【特許請求の範囲】
【請求項１】
ヒューズ素子が脱着可能に収容されるヒューズボックスの下方に、内部に回路構成体が収容される回路ケーシングが配されるとともに、
前記ヒューズボックスと前記回路構成体との間を電気的に接続する複数個のバスバーが前記ヒューズボックスの底壁から引き出された後、同底壁の下面に沿う配索経路をとって前記回路ケーシングに引き込まれている電気接続箱であって、
前記回路ケーシングの上面と前記バスバーとの間に排水空隙が設けられるとともに、前記回路ケーシングの上面には前記バスバーの底壁に沿う部分に当接して同バスバーを下支えする支持突部が設けられていることを特徴とする電気接続箱。
【請求項２】
前記支持突部は前記バスバーの並び方向に沿う複数個の支持板により構成され、これら各支持板は前記各バスバーと対向する位置にあって同バスバーを個別に支えるところを特徴とする請求項１に記載の電気接続箱。
【発明の詳細な説明】
【技術分野】
【０００１】
本発明は、電気接続箱に関する。
【背景技術】
【０００２】
従来より、自動車に搭載される電気接続箱はエンジンルーム等に設置されることがあるため、洗浄による水の浸入によって回路基板或いはバスバーが短絡しないように対策が講じられてきた（特許文献１）。
このものは回路基板を収容するための枠体３の上面に、外部コネクタ接続用の取付部３ｃが一体的に設けられている。この取付部３ｃには上下に貫通する端子収容孔３ｄが設けられており、そこには、外部コネクタの備える端子と回路基板を接続するための接続端子（バスバー）１３が収容されている。そのため、この端子収容孔３ｄを介して侵入した水分がバスバーを伝って電気接続箱内部の回路基板を浸水させる虞があった。
そこで、取付部３ｃから回路基板５に至る経路上においてバスバー１３の外周に別部品１１を液密状に嵌着し、これにより、バスバー１３を伝う水滴分の経路を変えることで回路基板５を保護するようにしていた。
【特許文献１】特開２００３−３４８７３２公報
【発明の開示】
【発明が解決しようとする課題】
【０００３】
例えば、図６に示すようにヒューズボックス１５の下方にこれとは別体に形成された接続箱本体１７が配されるものにおいては、ヒューズボックス１５と接続箱本体１７に収容される回路基板との間を電気的に接続するバスバー１８は、ヒューズボックス１５の底壁から引き出された後、同底壁の下面１５Ａに沿う配索経路をとって接続箱本体１７に引き込まれることがある。
係る場合に、ヒューズボックス１５内に侵入した水滴はバスバー１８を介してヒューズボックス１５側から接続箱本体１７側へ伝ってゆくが、こうした水滴が接続箱本体１７の上面に貯まってしまうと、その部分で隣接するバスバー同士が短絡してしまう虞がある。そこで、短絡を未然に防止する方策としてバスバー１８のうち底壁から引き出された部分１８Ａと、接続箱本体１７との間に空隙を設けることが考えられるが、このような空隙１９を設けると、バスバー１８の支持が十分でなくなるためヒューズの装着・取り替えの際に、図６の（ｂ）に示すようにバスバー１８のうち底壁から引き出された部分１８Ａが変形をきたす虞があった。本発明は上記のような事情に基づいてなされたものであって、バスバーをしっかりと支持した上で、短絡防止を行うことが可能な電気接続箱を提供することを目的とする。
【課題を解決するための手段】
【０００４】
上記の目的を達成するための手段として、請求項１の発明は、ヒューズ素子が脱着可能に収容されるヒューズボックスの下方に、内部に回路構成体が収容される回路ケーシングが配されるとともに、前記ヒューズボックスと前記回路構成体との間を電気的に接続する複数個のバスバーが前記ヒューズボックスの底壁から引き出された後、同底壁の下面に沿う配索経路をとって前記回路ケーシングに引き込まれている電気接続箱であって、前記回路ケーシングの上面と前記バスバーとの間に排水空隙が設けられるとともに、前記回路ケーシングの上面には前記バスバーの底壁に沿う部分に当接して同バスバーを下支えする支持突部が設けられているところに特徴を有する。
【０００５】
請求項２の発明は、請求項１に記載のものにおいて、前記支持突部は前記バスバーの並び方向に沿う複数個の支持板により構成され、これら各支持板は前記各バスバーと対向する位置にあって同バスバーを個別に支えるところに特徴を有する。
【発明の効果】
【０００６】
＜請求項１の発明＞
請求項１の発明によれば、バスバーと回路ケーシングとの間には排水空隙が設けられているから回路ケーシングの上面に水滴が貯まることがない。従って、同上面において隣接するバスバー同士が短絡することがない（短絡防止）。
また、回路ケーシングの上面には支持突部が設けられているから、バスバーをしっかりと支持することが出来る。
【０００７】
＜請求項２の発明＞
請求項２の発明によれば、各支持板は各バスバーを個別に支持するからバスバーの支持に関して信頼性が高まる。
【発明を実施するための最良の形態】
【０００８】
本発明の一実施形態を図１ないし図５によって説明する。
図１に示す２０は自動車に使用される電気接続箱であって、バッテリ等の電源と電気的負荷との間に介設され、電源から供給される電力を各電装品に分配・供給するとともに、これら電力供給の切り替え等の制御を行うものである。電気接続箱２０は回路構成体３１を内部に収容するケーシング（本発明の回路ケーシングに相当する）２１、ヒューズボックス７０、アッパーコネクタ９０を主体として構成され、例えば、エンジンルーム内に縦向きに（図１に示す向き）配置される。
【０００９】
回路構成体３１は回路基板３３と、回路基板３３の表面に形成された回路パターン（図示せず）に実装される電子部品３２と、回路基板３３の裏面に沿って配されて電源（図示せず）に接続される金属板材からなる基板用バスバー４１とから構成されている。尚、回路基板３３と基板用バスバー４１とは、絶縁性を有する接着材（図示せず）を介して一体化されている。また、ここでいう接着材には接着剤及び接着シート等が含まれるものとする。
【００１０】
ケーシング２１は合成樹脂製の枠体３５、枠体３５の外形と概ね同じ形状とされた金属製（例えば、アルミニウム合金）の放熱板３９並びにカバー６１から構成されている。枠体３５は、回路基板３３の外形に沿った形状であって、全周に亘って切れ目無く連続して回路基板３３を包囲するようになっている。また、詳細には後述するが、枠体３５の上部（図１に示す上部）にはヒューズボックス７０が取りつけられている。
【００１１】
カバー６１は放熱板３９と同じく枠体３５の外形と概ね同じ形状とされる。図４に示すようにカバー６１並びに放熱板３９は枠体３５の左右両側に対向するように位置して枠体３５内に回路構成体３１を収容させた状態で、枠体３５の開口面を閉止するようになっている。また、図１に示すようにカバー６１の上部の左右両縁には座部６４が設けられており、カバー６１は枠体３５に対して例えば、ねじ締め等によってヒューズボックス７０と共締めされるようになっている。
【００１２】
ヒューズボックス７０は合成樹脂製であって上方に開口する箱型をなす。図４に示すように、ヒューズボックス７０の内部は区画壁７１Ａによって、複数のヒューズ室７２に区画されている。各ヒューズ室７２の底壁には各ヒューズ室７２を連通する端子挿通孔７５Ａ、７５Ｂが同図の左右方向に一対設けられており、右側の端子挿通孔７５Ａには基板用バスバー４１が、左側の端子挿通孔７５Ｂにはコネクタ用バスバー１００がそれぞれ挿通されるようになっている。
【００１３】
まず、基板用バスバー４１から説明すると、基板用バスバー４１の上端部分はクランク状に屈曲され（水平方向に折り曲げられた部分を曲げ部４１Ａとする）て図示上方に立ち上げられている。この立ち上げられた部分がヒューズ端子接続部４２とされており、端子挿通孔７５Ａに挿通される。尚、曲げ部４１Ａはヒューズボックス７０とカバー６１との対向面（ヒューズボックス７０の下面７６、カバー６１の上面６２）間にあって、両面に沿うように配される。
【００１４】
一方、コネクタ用バスバー１００は図３に示すように、タブ１０１とヒューズ端子接続部１０５との間を連結部１０３を介して前後に繋いで形成され、ヒューズ端子接続部１０５が、端子挿通孔７５Ｂに挿通されるようになっている。
そして、図４に示すように、これら端子挿通孔７５Ａ、７５Ｂの間に位置して仕切壁７３と、仕切壁７３の両側に抜止め片７４が設けられている。この抜止め片７４は図示上方に向かって片持ち状に伸び、その先端部分にはロック爪７４Ａが設けられている。このロック爪７４Ａは、各ヒューズ端子接続部４２、１０５が図４に示す正規差し込み位置まで挿入されたときには各ヒューズ端子接続部４２、１０５に形成されるロック孔１０９に係止してヒューズ端子接続部４２を抜止めするようになっている。
【００１５】
ヒューズボックス７０の上面からは各ヒューズ室７２に対して、ヒューズＨが挿入されるようになっている。ヒューズＨは一対のヒューズ端子Ｔを備えており、挿入状態においては各ヒューズ端子Ｔが基板用バスバー４１並びにコネクタ用バスバー１００のヒューズ端子接続部４２、１０５にそれぞれ接続されるようになっている。
【００１６】
また、ヒューズボックス７０における幅方向の中央部分からは、図１に示すように下向きにロックアーム７８が形成されている。このロックアーム７８は、次述するアッパーコネクタ９０に形成されるロック受け部に対して係止して、アッパーコネクタ９０をロック状態に保持するように機能する。
【００１７】
アッパーコネクタ９０は合成樹脂製であって横長角筒状をなすとともに、前方から相手側ハウジングを嵌合可能とされたフード部が形成されている。図４に示すように、アッパーコネクタ９０はヒューズボックス７０の下部において、同フード部を下に向けた状態（開口を下に向けた状態）で、カバー６１と向かい合うように配置されている。そして、アッパーコネクタ９０の上面（ヒューズボックス７０の下面７６と向かい合う面）９１には各フード部に連なる受け入れ孔（図示せず）が上下に貫通しており、そこへは前述したコネクタ用バスバー１００のタブ１０１が貫通されるようになっている。
【００１８】
ところで、ヒューズボックス７０は上面が開口しているから、そこへは水滴が侵入することがあるが、侵入した水滴はヒューズ室７２の底側に集まり、その後、基板用バスバー４１或いはコネクタ用バスバー１００を伝ってゆく。
一方、本実施形態において基板用バスバー４１及びコネクタ用バスバー１００はヒューズボックス７０の下面７６から引き出された後、クランク状に屈曲して同下面７６に沿う配索経路をとっているが、屈曲した部分（曲げ部４１Ａ、連結部１０３）の下方にはカバー６１並びにアッパーコネクタ９０が位置している（図４参照）。そのため、水滴が基板用バスバー４１或いはコネクタ用バスバー１００を伝う過程で、カバー６１並びにアッパーコネクタ９０の上面６２、９１に留まってしまい、そこで、隣接する基板用バスバー４１同士或いはコネクタ用バスバー１００同士が短絡する虞がある。
【００１９】
そこで、本実施形態では、基板用バスバー４１の曲げ部４１Ａとカバー６１の上面６２との間並びにコネクタ用バスバー１００の連結部１０３とアッパーコネクタ９０の上面９１との間に排水空隙を設けることとしている。
【００２０】
より具体的に図４を参照して説明すると、アッパーコネクタ９０の上面９１には段差９６が設けられるとともに、その下端からはカバー６１側に向かって下降傾斜するコネクタ側排水用斜面部９４が形成されている。コネクタ側排水用斜面部９４の終端はアッパーコネクタ９０の側面（カバー６１に対する対向面）９０Ａに達している。これにより、連結部１０３とコネクタ側排水用斜面部９４との間に、排水空隙が形成される。尚、この排水空隙はコネクタ用バスバー１００の並び方向の全幅に亘って形成されている。
【００２１】
一方、カバー６１の上面６２にはカバー側排水用斜面部６７が設けられている。カバー側排水用斜面部６７は図４に示すＰ部（基板用バスバー４１の曲げ部４１Ａが枠体３５の内側から外側に引き出される部分）を始端として、そこからアッパーコネクタ９０に向かって下降傾斜し、終端はカバー６１の壁面（アッパーコネクタに対する対向面）６１Ａに達している。これにより、曲げ部４１Ａとカバー側排水用斜面部６７との間に、排水空隙が形成される。尚、この排水空隙は基板用バスバー４１の並び方向の全幅に亘って形成されている。
【００２２】
これら両排水用斜面部６７、９４は互いに対向するようになっているが、カバー側排水用斜面部６７の方が傾斜角度が大きくとってあり（約４５度の勾配）、その下端がコネクタ側排水用斜面部９４の下端に比べて下方に位置している。
【００２３】
また、カバー６１の排水用斜面部６７には図２に示すように基板用バスバー４１の並び方向に沿って、支持板６８が複数個並設されている。各支持板６８は板面が基板用バスバー４１における曲げ部４１Ａの配索方向に沿った三角形状をなすとともに、各曲げ部４１Ａと対向する位置に配されている（図４参照）。そして、支持板６８のうち曲げ部４１Ａと対向する側の片は曲げ部４１Ａに対する支持面６８Ａとなっている。支持面６８Ａは基板用バスバー４１の曲げ部４１Ａに倣った水平面とされており、曲げ部４１Ａのうち枠体３５から露出される部分（図４におけるＰ部より左側に位置する部分）のほぼ全長に亘って接して、同曲げ部４１Ａを下支えするようになっている。尚、基板用バスバー４１における曲げ部４１Ａの配索方向とは図４における左右方向のことである。
【００２４】
このような構成とすることで、基板用バスバー４１の変形防止が図られる。すなわち、ヒューズＨを交換する場合などには、基板用バスバー４１の曲げ部４１ＡにはヒューズＨを介して下向きの押し込み力が作用するが、上記構成であれば支持板６８によって曲げ部４１Ａをしっかりと支えることが出来るから、曲げ部４１Ａに下向きの押し込み力が作用しても同部分が変形することがない。
【００２５】
本実施形態の作用効果について説明する。
ヒューズＨの交換作業はボンネットを空けた状態で行うことから、例えば降雨時に交換作業を行うとヒューズボックス７０のヒューズ室７２内に水滴が侵入する場合がある。ヒューズ室７２内に侵入した水滴は、ヒューズ室７２に設けられる挿通孔７５Ａ、７５Ｂを通じてヒューズボックス７０の下面７６側にしみ出す。その後、水滴は基板用バスバー４１側にあっては同バスバー４１の曲げ部４１Ａを伝ってカバー６１側へ徐々にしみ出してゆき、コネクタ用バスバー１００にあっては同バスバー１００の連結部１０３を伝ってアッパーコネクタ９０側にしみ出してゆく。やがて、水滴はカバー側排水用斜面部６７、或いはコネクタ側排水用斜面部９４の始端に達する。それ以降、水滴は各排水用斜面部６７、９４の斜面に沿って下方に流れてゆく。従って、水滴がカバー６１並びにアッパーコネクタ９０の上面６２、９１に留まることがないから、同部分における隣接するバスバー間の短絡が未然に防止される。
【００２６】
また、ヒューズＨを装着する際に、基板用バスバー４１並びにコネクタ用バスバー１００にはヒューズＨを介して下向きの押し込み力が作用する。特に、基板用バスバー４１にあっては、図４に示すように曲げ部４１Ａの長さが連結部１０３の全長に比べて長く同図におけるＰ部には強い力が加わる。しかし、支持板６８が各基板用バスバー４１の曲げ部４１Ａをその全長に亘って支えているから上記押し込み力に十分抗することが出来る。そして、各支持板６８は各基板用バスバー４１を個別に支持するからバスバーの支持に関して信頼性が高まる。
【００２７】
＜他の実施形態＞
本発明は上記記述及び図面によって説明した実施形態に限定されるものではなく、例えば次のような実施形態も本発明の技術的範囲に含まれ、さらに、下記以外にも要旨を逸脱しない範囲内で種々変更して実施することができる。
【００２８】
（１）本実施形態では支持板６８を基板用バスバー４１の並び方向に複数個併設させ、各基板用バスバー４１を個別に支えたが、各バスバー４１を一括して支持するようなものであってもよい。
【００２９】
（２）本実施形態ではカバー側排水用斜面部６７にのみ支持板６８を設けたが、コネクタ側排水用斜面部９４に支持板６８を設けてコネクタ用バスバー１００を支持してもよい。
【図面の簡単な説明】
【００３０】
【図１】本発明の一実施形態に係る電気接続箱の正面図
【図２】カバーの斜視図
【図３】コネクタ用バスバーの斜視図
【図４】図１におけるＡ−Ａ線断面図
【図５】支持板が基板用バスバーを下支えしている状態を示す斜視図
【図６】従来例の側面図
【符号の説明】
【００３１】
２０…電気接続箱
２１…ケーシング（回路ケーシング）
４１…基板用バスバー
４１Ａ…曲げ部
６７…カバー側排水用斜面部
６８…支持板（支持突部）
７０…ヒューズボックス
【図１】
2006050786.tif 000003
【図２】
2006050786.tif 000004
【図３】
2006050786.tif 000005
【図４】
2006050786.tif 000006
【図５】
2006050786.tif 000007
【図６】
2006050786.tif 000008